(57)【要約】【課題】送信波の比吸収率を抑制すると共に、効率のよい受信を実現する技術を提供する。【解決手段】互いに異なる位置に配置された第１アンテナ（６）および第２アンテナ（７）と、第１アンテナに人体が近接した旨を示す信号を出力する人体検知部（４）と、第１アンテナおよび第２アンテナの受信感度を測定する受信感度測定部（１２内）と、人体検知部から信号を取得し、送信用アンテナを第２アンテナに切り替え、受信感度測定部から第１アンテナおよび第２アンテナの受信感度を取得し、受信用アンテナを当該受信感度が良好な方のアンテナに切り替える制御部（１３）とを備える携帯通信端末（１）。【選択図】図１
2016178465.tif 000002
【特許請求の範囲】
【請求項１】
互いに異なる位置に配置された第１アンテナおよび第２アンテナと、
上記第１アンテナに人体が近接したことを検知した場合に、その旨を示す人体検知信号を出力するセンサと、
上記第１アンテナおよび上記第２アンテナの受信感度を測定する受信感度測定部と、
上記センサから上記人体検知信号を取得した場合に、送信用アンテナを上記第２アンテナに切り替え、上記受信感度測定部から上記第１アンテナおよび上記第２アンテナの受信感度を取得した場合に、受信用アンテナを当該受信感度が良好な方のアンテナに切り替える制御部と、
を備えることを特徴とする携帯通信端末。
【請求項２】
上記第１アンテナは、上記第２アンテナよりも、当該携帯通信端末を用いた通話時の利用者の頭部に近い位置に配置される
ことを特徴とする請求項１に記載の携帯通信端末。
【請求項３】
上記第１アンテナは、当該携帯通信端末の一端に配置され、
上記第２アンテナは、当該携帯通信端末の、上記一端の対極に位置する他端に配置される
ことを特徴とする請求項１または２に記載の携帯通信端末。
【発明の詳細な説明】
【技術分野】
【０００１】
本発明は、携帯通信端末に関し、特に、携帯通信端末における送信用アンテナおよび受信用アンテナの設定に関する。
【背景技術】
【０００２】
従来技術として、人体（頭部）に対する電波の比吸収率（ＳＡＲ：Specific Absorption Rate）を抑制する携帯端末が知られている。例えば、特許文献１には、端末の前面側の送話口の付近に配置された第１アンテナと、その背面側に配置された第２アンテナと、外部からの接触状況を検出する状況検出部と一体になったタッチパネルとを備えた携帯通信端末について説明されている。そして、タッチパネルが頭部の接触を検出した場合には、頭部から離れた位置（背面側）に配置されている第２アンテナを用いて通信し、接触を検出していない場合には、前面側の第１アンテナを用いて通信を行うことにより、頭部に対する比吸収率を低減することが開示されている。
【先行技術文献】
【特許文献】
【０００３】
【特許文献１】特開２０１３−２２５８１５号公報（２０１３年１０月３１日公開）
【発明の概要】
【発明が解決しようとする課題】
【０００４】
しかしながら、上記従来技術では、送信波の比吸収率を抑制するために、受信感度まで低下してしまうという問題があった。すなわち、ユーザが特許文献１に係る携帯通信端末を把持して通話しているとき、第１アンテナにはユーザの頭部が近接するので、第２アンテナを用いて送信と受信との双方が行われる。しかしながら、このとき、ユーザは携帯通信端末を把持している。このため、受信用アンテナとして、頭部に近接した第１アンテナを用いたときの受信感度と、手に近接した第２アンテナを用いたときの受信感度の大小関係は、状況に応じて変化し得る。したがって、タッチパネルに頭部が接触している限り、専ら第２アンテナを受信用アンテナとして用いる従来技術では、通話時の受信感度が低下する場合がある。
【０００５】
本発明は、上記課題に鑑みてなされたものであり、その目的は、送信波の比吸収率を抑制すると共に、効率のよい受信を実現する技術を提供することにある。
【課題を解決するための手段】
【０００６】
上記課題を解決するために、本発明の一態様に係る携帯通信端末は、互いに異なる位置に配置された第１アンテナおよび第２アンテナと、上記第１アンテナに人体が近接したことを検知した場合に、その旨を示す人体検知信号を出力するセンサと、上記第１アンテナおよび上記第２アンテナの受信感度を測定する受信感度測定部と、上記センサから上記人体検知信号を取得した場合に、送信用アンテナを上記第２アンテナに切り替え、上記受信感度測定部から上記第１アンテナおよび上記第２アンテナの受信感度を取得した場合に、受信用アンテナを当該受信感度が良好な方のアンテナに切り替える制御部とを備える。
【発明の効果】
【０００７】
本発明の一態様によれば、送信波の比吸収率を抑制すると共に、効率のよい受信を実現することができるという効果を奏する。
【図面の簡単な説明】
【０００８】
【図１】本発明の実施形態１に係る携帯通信端末の外観例を示す正面図である。
【図２】本発明の実施形態１に係る携帯通信端末のアンテナ切替の一例を示す図である。
【図３】本発明の実施形態１に係る携帯通信端末の内部構成の一例を示す図である。
【図４】本発明の実施形態１に係る携帯通信端末の内部状態の一例を示す図である。
【図５】本発明の実施形態１に係る携帯通信端末の内部状態の一例を示す図である。
【図６】本発明の実施形態１に係る携帯通信端末の内部状態の一例を示す図である。
【図７】本発明の実施形態１に係る携帯通信端末の内部状態の一例を示す図である。
【図８】本発明の実施形態２に係る携帯通信端末の内部構成の一例を示す図である。
【図９】本発明の実施形態２に係る携帯通信端末の内部状態の一例を示す図である。
【図１０】本発明の実施形態２に係る携帯通信端末の内部状態の一例を示す図である。
【図１１】本発明の実施形態２に係る携帯通信端末の内部状態の一例を示す図である。
【図１２】本発明の実施形態２に係る携帯通信端末の内部状態の一例を示す図である。
【図１３】本発明の実施形態２に係る携帯通信端末によるＦＤＤ方式およびＴＤＤ方式のアンテナ切替制御を示す図である。
【図１４】本発明の実施形態３に係るタブレット端末におけるアンテナ配置の一例を示す図であり、（ａ）はタブレット端末を横向きにして使用する場合の、アンテナ配置の一例を示し、（ｂ）および（ｃ）はタブレット端末を縦向きにして使用する場合の、アンテナ配置の一例を示す。
【発明を実施するための形態】
【０００９】
〔実施形態１〕
以下、本発明の実施の形態について、詳細に説明する。ただし、この実施形態に記載されている構成は、特に特定的な記載がない限り、この発明の範囲をそれのみに限定する趣旨ではなく、単なる説明例に過ぎない。
【００１０】
〈携帯通信端末の外観〉
まず、本発明の実施形態１に係る携帯通信端末（以下、「端末」と呼ぶ）１の外観例について、図１を参照して説明する。図１は、本実施形態に係る端末１の外観を示す正面図である。図１に示すように、端末１は、通信機能を有する携帯端末（例えば、スマートフォン、携帯電話等）であり、その前面には、表示部２、受話部３、人体検知部４、送話部５、第１アンテナ６および第２アンテナ７を備える。
【００１１】
表示部２は、情報を表示し、手操作が可能なタッチパネルである。受話部３は、端末１の長手方向の一端に配置され、音声を出力する部分であり、通話時等に利用者の耳元に位置付けられる。人体検知部４は、第１アンテナ６の付近に配置され、第１アンテナ６に人体が近接したことを検知するセンサであり、第１アンテナ６に人体が近接したことを検知した場合に、その旨を示す人体検知信号を送信する。送話部５は、端末１の長手方向の他端に配置され、音声を取得する部分であり、通話時等に利用者の口元に位置付けられる。
【００１２】
第１アンテナ６および第２アンテナ７は、互いに端末１の異なる位置に配置されるアンテナであり、例えば、第１アンテナ６は、第２アンテナ７よりも、端末１を用いた通話時における、利用者の頭部に近い位置に配置される。具体的には、図１に示すように、第１アンテナ６は端末１の長手方向の一端に配置され、第２アンテナ７は端末１の長手方向の他端に配置される。第１アンテナ６および第２アンテナ７は、ＦＤＤ（Frequency Division Duplex）方式により送受信を行う。ＦＤＤ方式は、周波数分割複信と呼ばれるものであり、送信および受信で異なる周波数を使用して、送信および受信を同時に行う。
【００１３】
〈携帯通信端末のアンテナ切替〉
次に、本発明の実施形態１に係る端末１のアンテナ切替について、図１、２を参照して説明する。図２は、本実施形態に係る端末１のアンテナ切替の一例を示す図である。利用者が端末１で通話を行う場合には、通常、受話部３に耳を近付けるため、受話部３の付近に配置された第１アンテナ６が人体（頭部）に近接する。第１アンテナ６の付近に配置された人体検知部４は、第１アンテナ６に人体が近接すると、第１アンテナ６に人体が近接したことを検知した旨を示す人体検知信号を制御部１３（図３参照）に送信する。制御部１３は、人体検知部４から人体検知信号を受信すると、送信用アンテナとして第２アンテナ７を選択する。図２のアンテナ配置Ａ３、Ａ４に示すように、通話時等、送信ＳＡＲ対策（電波の比吸収率の抑制対策）を行ったときには、第１アンテナ６ではなく、第２アンテナ７が送信用アンテナとして選択される。
【００１４】
非通話時、すなわち、利用者が端末１でメール、ブラウザ等を使用する場合には、表示部２を見ながら操作するため、人体検知部４は人体の近接を検知しない。この場合、制御部１３は、人体検知部４から人体検知信号を受信しないので、送信用アンテナとして第１アンテナ６を選択する。図２のアンテナ配置Ａ１、Ａ２に示すように、非通話時には、第２アンテナ７ではなく、第１アンテナ６が送信用アンテナとして選択される。なお、制御部１３は、人体検知部４から人体検知信号を受信しない場合であっても、第２アンテナ７が人体（頭部）に近接している可能性は低いので、第２アンテナ７を送信用アンテナとして選択してもよい。
【００１５】
一方、受信用アンテナに関しては、モデム１２において第１アンテナ６および第２アンテナ７から得られる受信感度に基づいて、適切なアンテナを選択する。
【００１６】
すなわち、図２に示すように、送信用アンテナの選択とは関係なく、受信感度に応じて受信用アンテナとして第１アンテナ６および第２アンテナ７のいずれか一方が選択される。例えば、通話時に、利用者が端末１の上部の受話部３に耳を近付けると、受話部３の付近に配置された第１アンテナ６は受信感度を低下させるので、図２のアンテナ配置Ａ４に示すように、制御部１３は、受信用アンテナとして第２アンテナ７を選択する。
【００１７】
上記によれば、送信用アンテナは利用者の頭部の近接を優先的に判断して選択し、受信用アンテナは受信感度の良い方のアンテナを選択して利用することにより、送信電波の比吸収率を低減しつつ、良好な受信感度を得ることができる。
【００１８】
なお、アンテナを切り替えるタイミングの一例として、待ち受け時には、第１アンテナ６および第２アンテナ７を所定時間ごとに切り替え（すなわち、本来選択したものとは別のアンテナに一旦切り替えて受信感度を測定し）、受信感度に応じて都度適切なアンテナを選択する。また、何らかの要因で、アンテナを切り替えるごとに著しく受信感度が変化する場合には、受信感度に応じてすぐに切り替えるのではなく、切り替えタイミングを調整して、アンテナが頻繁にスイッチングするような現象を防ぐという方法がある。さらに、通信時において、受信するアンテナを固定するものの、著しく受信感度が悪くなった場合には、アンテナを一旦切り替え、他方のアンテナの受信感度を測定し、現状よりもよければアンテナを切り替えることにより、受信感度の改善を図るという方法がある。なお、受信感度測定およびアンテナ切替の方法は、上記に限らず、他の方法であってもよい。
【００１９】
〈携帯通信端末の構成〉
続いて、本発明の実施形態１に係る端末１の構成について、図３を参照して説明する。図３は、本実施形態に係る端末１の内部構成の一例を示す図である。図３に示すように、端末１は、人体検知部４、第１アンテナ６、第２アンテナ７、送信用アンテナ切替スイッチ（以下、「送信切替スイッチ」と呼ぶ）８、受信用アンテナ切替スイッチ（以下、「受信切替スイッチ」と呼ぶ）９、送信用フィルタ１０、受信用フィルタ１１、モデム（受信感度測定部）１２、および、制御部１３を備える。人体検知部４、第１アンテナ６、および、第２アンテナ７は、上記に説明した通りである。
【００２０】
送信切替スイッチ８は、送信用アンテナを切り替えるスイッチであり、詳細には、送信用フィルタ１０側の接点Ｐ１をアンテナ側の接点Ｐ２、Ｐ３、および、Ｐ４のいずれか１つに接続する。接点Ｐ２は、第１アンテナ６につながる接点である。接点Ｐ３は、第２アンテナ７につながる接点である。接点Ｐ４は、第１アンテナ６および第２アンテナ７のいずれにもつながらない、終端された接点である。すなわち、送信を行わない場合に、接点Ｐ１を接点Ｐ４に接続することにより、第１アンテナ６および第２アンテナ７と、モデム１２の送信端子１２１とが分離される。送信切替スイッチ８は、制御部１３から制御線Ｌ１を通じて制御信号を受信し、当該制御信号に応じて接点の接続を切り替える。
【００２１】
受信切替スイッチ９は、受信用アンテナを切り替えるスイッチであり、詳細には、受信用フィルタ１１側の接点Ｐ５をアンテナ側の接点Ｐ６およびＰ７のいずれか１つに接続する。接点Ｐ６は、第１アンテナ６につながる接点である。接点Ｐ７は、第２アンテナ７につながる接点である。受信切替スイッチ９は、制御部１３から制御線Ｌ２を通じて制御信号を受信し、当該制御信号に応じて接点の接続を切り替える。
【００２２】
送信用フィルタ１０は、送信切替スイッチ８と、モデム１２との間に介在し、モデム１２から送信信号を受信し、その送信信号のうち、所定の周波数帯の信号を除去し、当該周波数帯以外の信号を通過させて、送信切替スイッチ８に送信する。本実施形態において、送信用フィルタ１０は、異なった周波数で送信および受信を行うＦＤＤ方式で使用され、送信すべき周波数帯の信号だけを通す。
【００２３】
受信用フィルタ１１は、受信切替スイッチ９と、モデム１２との間に介在し、受信切替スイッチ９から受信信号を受信し、その受信信号のうち、受信すべき所定の周波数帯の信号のみを通過させて、モデム１２に送信する。また、受信用フィルタ１１は、異なった周波数で送信および受信を行うＦＤＤ方式で使用され、送信信号がモデム１２の受信端子１２２に入力されないように、遮断する。
【００２４】
モデム１２は、デジタル信号を伝送路の特性に合わせたアナログ信号に変調し、送信用フィルタ１０に送信するとともに、受信用フィルタ１１からアナログ信号を受信し、デジタル信号に復調する変調復調装置である。モデム１２は、送信端子１２１および受信端子１２２を備える。また、モデム１２は、受信感度測定部としても機能する。すなわち、受信端子１２２から入力した受信信号から、受信感度を取得し、取得した受信感度を制御部１３に送信する。なお、モデム１２が制御部１３に送信する受信感度は、制御部１３において、アンテナを切り替えるか否かを判断するのに必要な条件（すなわち、現時点における２つのアンテナの受信感度の大小関係）を特定できるデータであればよく、例えば、受信感度の値そのものであってもよいし、直前に測定した受信感度との差分等であってもよい。
【００２５】
制御部１３は、人体検知部４から受信した人体検知信号の有無、および、第１アンテナ６および第２アンテナ７の受信感度に応じて、送信用アンテナおよび受信用アンテナを設定する。制御部１３は、第１アンテナ６および第２アンテナ７の受信感度を測定する受信感度測定部から受信感度を取得する。なお、上記においては、図３を用いて、受信感度測定部は、モデム１２に内蔵されているように説明したが、制御部１３に内蔵されていてもよい。
【００２６】
詳細には、送信用アンテナを設定する場合には、制御信号を制御線Ｌ１経由で送信切替スイッチ８に送信することにより、接点の接続を切り替える。これにより、第１アンテナ６または第２アンテナ７が送信用アンテナとして設定される。一方、受信用アンテナを設定する場合には、制御信号を制御線Ｌ２経由で受信切替スイッチ９に送信することにより、接点の接続を切り替える。これにより、第１アンテナ６または第２アンテナ７が受信用アンテナとして設定される。
【００２７】
〈アンテナ切替の実施例〉
さらに、本実施形態に係る端末１のアンテナ切替の実施例について、図４〜７を参照して説明する。
【００２８】
図４は、本実施形態に係る端末１における、第１アンテナ６が送信用アンテナおよび受信用アンテナとして選択された場合の内部状態を示す図である。図４に示すように、送信切替スイッチ８においては接点Ｐ１およびＰ２が接続され、受信切替スイッチ９においては接点Ｐ５およびＰ６が接続される。
【００２９】
送信信号は、モデム１２の送信端子１２１から送信され、送信用フィルタ１０を通過し、送信切替スイッチ８の接点Ｐ１およびＰ２を通って、第１アンテナ６から無線により送信される。なお、送信信号は、受信切替スイッチ９の接点Ｐ６およびＰ５を通って、受信用フィルタ１１に達する。しかし、送信信号の周波数は受信用フィルタ１１により制限されるので、送信信号はモデム１２の受信端子１２２に到達することはない。
【００３０】
受信信号は、第１アンテナ６が無線により受信した後、受信切替スイッチ９の接点Ｐ６およびＰ５を通って、受信用フィルタ１１を通過し、モデム１２の受信端子１２２に到達する。なお、受信信号の周波数は送信用フィルタ１０により制限されるので、受信信号はモデム１２の送信端子１２１に到達することはない。
【００３１】
図５は、本実施形態に係る端末１における、第２アンテナ７が送信用アンテナおよび受信用アンテナとして選択された場合の内部状態を示す図である。図５に示すように、送信切替スイッチ８においては接点Ｐ１およびＰ３が接続され、受信切替スイッチ９においては接点Ｐ５およびＰ７が接続される。
【００３２】
送信信号は、モデム１２の送信端子１２１から送信され、送信用フィルタ１０を通過し、送信切替スイッチ８の接点Ｐ１およびＰ３を通って、第２アンテナ７から無線により送信される。なお、送信信号は、受信切替スイッチ９の接点Ｐ７およびＰ５を通って、受信用フィルタ１１に達する。しかし、送信信号の周波数は受信用フィルタ１１により制限されるので、送信信号はモデム１２の受信端子１２２に到達することはない。
【００３３】
受信信号は、第２アンテナ７が無線により受信した後、受信切替スイッチ９の接点Ｐ７およびＰ５を通って、受信用フィルタ１１を通過し、モデム１２の受信端子１２２に到達する。なお、受信信号の周波数は送信用フィルタ１０により制限されるので、受信信号はモデム１２の送信端子１２１に到達することはない。
【００３４】
図６は、本実施形態に係る端末１における、第１アンテナ６が送信用アンテナとして選択され、第２アンテナ７が受信用アンテナとして選択された場合の内部状態を示す図である。図６に示すように、送信切替スイッチ８においては接点Ｐ１およびＰ２が接続され、受信切替スイッチ９においては接点Ｐ５およびＰ７が接続される。
【００３５】
送信信号は、モデム１２の送信端子１２１から送信され、送信用フィルタ１０を通過し、送信切替スイッチ８の接点Ｐ１およびＰ２を通って、第１アンテナ６から無線により送信される。なお、送信信号は、受信切替スイッチ９の接点Ｐ６まで到達する。しかし、接点Ｐ６は接点Ｐ５に接続されていないので、送信信号はモデム１２の受信端子１２２に到達することはない。
【００３６】
受信信号は、第２アンテナ７が無線により受信した後、受信切替スイッチ９の接点Ｐ７およびＰ５を通って、受信用フィルタ１１を通過し、モデム１２の受信端子１２２に到達する。なお、受信信号は、送信切替スイッチ８の接点Ｐ３まで到達する。しかし、接点Ｐ３は接点Ｐ１に接続されていないので、受信信号はモデム１２の送信端子１２１に到達することはない。
【００３７】
図７は、本実施形態に係る端末１において、第２アンテナ７が送信用アンテナとして選択され、第１アンテナ６が受信用アンテナとして選択された場合の内部状態を示す図である。図７に示すように、送信切替スイッチ８においては接点Ｐ１およびＰ３が接続され、受信切替スイッチ９においては接点Ｐ５およびＰ６が接続される。
【００３８】
送信信号は、モデム１２の送信端子１２１から送信され、送信用フィルタ１０を通過し、送信切替スイッチ８の接点Ｐ１およびＰ３を通って、第２アンテナ７から無線により送信される。なお、送信信号は、受信切替スイッチ９の接点Ｐ７に達する。しかし、接点Ｐ７は接点Ｐ５に接続されていないので、送信信号はモデム１２の受信端子１２２に到達することはない。
【００３９】
受信信号は、第１アンテナ６が無線により受信した後、受信切替スイッチ９の接点Ｐ６およびＰ５を通って、受信用フィルタ１１を通過し、モデム１２の受信端子１２２に到達する。なお、受信信号は、送信切替スイッチ８の接点Ｐ２まで到達する。しかし、接点Ｐ２は接点Ｐ１に接続されていないので、受信信号はモデム１２の送信端子１２１に到達することはない。
【００４０】
〈効果〉
上記によれば、図２のアンテナ配置Ａ１〜Ａ４に示すように、送信ＳＡＲ対策時、非通話時に限らず、人体との接近状況、および、受信感度に応じて、送信および受信それぞれに適したアンテナを選択することができる。アンテナ配置Ａ１〜Ａ４それぞれへの切り替えは、通信中であっても制限されることはなく、人体検知の有無（送信ＳＡＲ対策の要否）、受信感度の変化に応じて、どのようなタイミングでも行うことができる。従って、送信および受信において、独立してアンテナを選択することができ、送信波の比吸収率を抑制すると共に、効率のよい受信を実現することができる。
【００４１】
また、送信用フィルタ１０が送信周波数の信号を通過させ、受信用フィルタ１１が受信周波数の信号を通過させることにより、ＦＤＤ方式の送受信を実現することができる。
【００４２】
〔実施形態２〕
次に、本発明の実施形態２に係る端末１ａについて説明する。本発明の実施形態２は、アンテナがＴＤＤ（Time Division Duplex）方式により無線通信を行う端末１ａに関するものである。ＴＤＤ方式は、時分割複信と呼ばれるものであり、送信および受信で同じ周波数を使用する。そのため、端末１ａは、送信および受信のタイミングに合わせて、送信用回路および受信用回路を切り替える。なお、端末１ａの外観およびアンテナ切替の一例は、実施形態１に係る端末１と同様であり、図１、２で説明した通りである。
【００４３】
〈携帯通信端末の構成〉
続いて、本発明の実施形態２に係る端末１ａの構成について、図８を参照して説明する。図８は、本実施形態に係る端末１ａの内部構成の一例を示す図である。図８に示すように、端末１ａは、人体検知部４、第１アンテナ６、第２アンテナ７、送信用アンテナ切替スイッチ（以下、「送信切替スイッチ」と呼ぶ）８、受信用アンテナ切替スイッチ（以下、「受信切替スイッチ」と呼ぶ）９、送信用フィルタ１０、受信用フィルタ１１、モデム（受信感度測定部）１２、制御部１３ａ、受信用アンテナ切替スイッチ（以下、「受信切替スイッチ」と呼ぶ）１４、および、受信用フィルタ１５を備える。
【００４４】
人体検知部４、第１アンテナ６、第２アンテナ７、送信切替スイッチ８、受信切替スイッチ９、送信用フィルタ１０、受信用フィルタ１１、および、モデム１２（受信感度測定部）は、実施形態１で説明した通りである。なお、送信切替スイッチ８および送信用フィルタ１０は、ＴＤＤ方式の送信で使用される。一方、受信切替スイッチ９および受信用フィルタ１１は、ＴＤＤ方式の受信には使用されない。
【００４５】
受信切替スイッチ１４は、受信用アンテナを切り替えるスイッチであり、詳細には、受信用フィルタ１１側の接点Ｐ８をアンテナ側の接点Ｐ９、Ｐ１０およびＰ１１のいずれか１つに接続する。接点Ｐ９は、第１アンテナ６につながる接点である。接点Ｐ１０は、第２アンテナ７につながる接点である。接点Ｐ１１は、グランドにつながる接点である。受信切替スイッチ１４は、制御部１３ａから制御線Ｌ３を通じて制御信号を受信し、当該制御信号に応じて接点の接続を切り替える。
【００４６】
受信用フィルタ１５は、受信切替スイッチ１４と、モデム１２との間に介在し、受信切替スイッチ１４から受信信号を受信し、その受信信号のうち、受信すべき所定の周波数帯の信号のみを通過させて、モデム１２に送信する。受信用フィルタ１５は、同じ周波数で送信および受信を行うＴＤＤ方式で使用され、受信用フィルタ１１の周波数通過特性とは異なり、送信用フィルタ１０と同様の周波数通過特性を有する。
【００４７】
制御部１３ａは、人体検知部４から受信した人体検知信号、および、第１アンテナ６および第２アンテナ７の受信感度に応じて、送信用アンテナおよび受信用アンテナを設定する。制御部１３ａは、第１アンテナ６および第２アンテナ７の受信感度を測定する受信感度測定部から受信感度を取得する。なお、上記においては、図８を用いて、受信感度測定部は、モデム１２に内蔵されているように説明したが、制御部１３ａに内蔵されていてもよい。
【００４８】
詳細には、送信用アンテナを設定する場合には、制御信号を制御線Ｌ１経由で送信切替スイッチ８に送信することにより、接点の接続を切り替える。これにより、第１アンテナ６または第２アンテナ７が送信用アンテナとして設定される。一方、受信用アンテナを設定する場合には、制御信号を制御線Ｌ３経由で受信切替スイッチ１４に送信することにより、接点の接続を切り替える。これにより、第１アンテナ６または第２アンテナ７が受信用アンテナとして設定される。
【００４９】
送信切替スイッチ８において、送信時には、接点Ｐ１と、接点Ｐ２およびＰ３のいずれか一方とが接続され、受信時には、接点Ｐ１と、接点Ｐ４とが接続され、モデム１２の送信端子１２１は終端される。一方、受信切替スイッチ１４において、受信時には、接点Ｐ８と、接点Ｐ９およびＰ１０のいずれか一方とが接続され、送信時には、接点Ｐ８と、接点Ｐ１１とが接続され、モデム１２の受信端子１２２はグランドに接続される。これにより、送受信それぞれにおいて、必要な回路は動作し、不要な回路は停止する。
【００５０】
〈アンテナ切替の実施例〉
さらに、本実施形態に係る端末１ａのアンテナ切替の実施例について、図９〜１２を参照して説明する。
【００５１】
図９は、本実施形態に係る端末１ａにおける、第１アンテナ６が送信用アンテナおよび受信用アンテナとして選択された場合の内部状態を示す図である。図９に示すように、送信時には、送信切替スイッチ８においては接点Ｐ１およびＰ２が接続され、受信切替スイッチ１４においては接点Ｐ８およびＰ１１が接続される。一方、受信時には、送信切替スイッチ８においては接点Ｐ１およびＰ４が接続され、受信切替スイッチ１４においては接点Ｐ８およびＰ９が接続される。なお、使用されない受信切替スイッチ９においては、図示のように接点Ｐ５およびＰ６が接続される。なお、接点Ｐ５およびＰ７が接続されてもよい。
【００５２】
送信信号は、モデム１２の送信端子１２１から送信され、送信用フィルタ１０を通過し、送信切替スイッチ８の接点Ｐ１およびＰ２を通って、第１アンテナ６から無線により送信される。なお、送信信号は、図示のように、受信切替スイッチ９の接点Ｐ６およびＰ５を通る場合、受信用フィルタ１１に達する。しかし、送信信号の周波数は受信用フィルタ１１により制限されるので、送信信号はモデム１２の受信端子１２２に到達することはない。また、送信信号は、受信切替スイッチ１４の接点Ｐ９に到達する。しかし、送信時には、接点Ｐ８及びＰ１１が接続されるので、接点Ｐ９は接点Ｐ８とは接続されないため、送信信号はモデム１２の受信端子１２２に到達することはない。
【００５３】
受信信号は、第１アンテナ６が無線により受信した後、受信切替スイッチ１４の接点Ｐ９およびＰ８を通って、受信用フィルタ１５を通過し、モデム１２の受信端子１２２に到達する。なお、受信信号は、送信切替スイッチ８の接点Ｐ２まで到達する。しかし、受信時には、接点Ｐ１およびＰ４が接続されるので、接点Ｐ２は接点Ｐ１と接続されないため、受信信号はモデム１２の送信端子１２１に到達することはない。また、受信信号は、図示のように、受信切替スイッチ９の接点Ｐ６およびＰ５を通る場合、受信用フィルタ１１に達する。しかし、受信信号の周波数は受信用フィルタ１１により制限されるので、当該受信信号が受信用フィルタ１１を通過してモデム１２の受信端子１２２に到達することはない。
【００５４】
図１０は、本実施形態に係る端末１ａにおける、第２アンテナ７が送信用アンテナおよび受信用アンテナとして選択された場合の内部状態を示す図である。図１０に示すように、送信時には、送信切替スイッチ８においては接点Ｐ１およびＰ３が接続され、受信切替スイッチ１４においては接点Ｐ８およびＰ１１が接続される。一方、受信時には、送信切替スイッチ８においては接点Ｐ１およびＰ４が接続され、受信切替スイッチ１４においては接点Ｐ８およびＰ１０が接続される。なお、使用されない受信切替スイッチ９においては、図示のように接点Ｐ５およびＰ７が接続される。なお、接点Ｐ５およびＰ６が接続されてもよい。
【００５５】
送信信号は、モデム１２の送信端子１２１から送信され、送信用フィルタ１０を通過し、送信切替スイッチ８の接点Ｐ１およびＰ３を通って、第２アンテナ７から無線により送信される。なお、送信信号は、図示のように、受信切替スイッチ９の接点Ｐ７およびＰ５を通る場合、受信用フィルタ１１に達する。しかし、送信信号の周波数は受信用フィルタ１１により制限されるので、送信信号がモデム１２の受信端子１２２に到達することはない。また、送信信号は、受信切替スイッチ１４の接点Ｐ１０に到達する。しかし、送信時には、接点Ｐ８及びＰ１１が接続されるので、接点Ｐ１０は接点Ｐ８とは接続されないため、送信信号はモデム１２の受信端子１２２に到達することはない。
【００５６】
受信信号は、第２アンテナ７が無線により受信した後、受信切替スイッチ１４の接点Ｐ１０およびＰ８を通って、受信用フィルタ１５を通過し、モデム１２の受信端子１２２に到達する。なお、受信信号は、送信切替スイッチ８の接点Ｐ３まで到達する。しかし、受信時には、接点Ｐ１およびＰ４が接続されるので、接点Ｐ３は接点Ｐ１と接続されないため、受信信号はモデム１２の送信端子１２１に到達することはない。また、受信信号は、受信切替スイッチ９の接点Ｐ７およびＰ５を通って、受信用フィルタ１１に達する。しかし、受信信号の周波数は受信用フィルタ１１により制限されるので、当該受信信号が受信用フィルタ１１を通過してモデム１２の受信端子１２２に到達することはない。
【００５７】
図１１は、本実施形態に係る端末１ａにおける、第１アンテナ６が送信用アンテナとして選択され、第２アンテナ７が受信用アンテナとして選択された場合の内部状態を示す図である。図１１に示すように、送信時には、送信切替スイッチ８においては接点Ｐ１およびＰ２が接続され、受信切替スイッチ１４においては接点Ｐ８およびＰ１１が接続される。一方、受信時には、送信切替スイッチ８においては接点Ｐ１およびＰ４が接続され、受信切替スイッチ１４においては接点Ｐ８およびＰ１０が接続される。なお、使用されない受信切替スイッチ９においては、図示のように接点Ｐ５およびＰ６が接続される。なお、接点Ｐ５およびＰ７が接続されてもよい。
【００５８】
送信信号は、モデム１２の送信端子１２１から送信され、送信用フィルタ１０を通過し、送信切替スイッチ８の接点Ｐ１およびＰ２を通って、第１アンテナ６から無線により送信される。なお、送信信号は、図示のように、受信切替スイッチ９の接点Ｐ６およびＰ５を通る場合、受信用フィルタ１１に達する。しかし、送信信号の周波数は受信用フィルタ１１により制限されるので、送信信号がモデム１２の受信端子１２２に到達することはない。また、送信信号は、受信切替スイッチ１４の接点Ｐ９に到達する。しかし、送信時には、接点Ｐ８及びＰ１１が接続されるので、接点Ｐ９は接点Ｐ８とは接続されないため、送信信号はモデム１２の受信端子１２２に到達することはない。
【００５９】
受信信号は、第２アンテナ７が無線により受信した後、受信切替スイッチ１４の接点Ｐ１０およびＰ８を通って、受信用フィルタ１５を通過し、モデム１２の受信端子１２２に到達する。なお、受信信号は、送信切替スイッチ８の接点Ｐ３まで到達する。しかし、受信時には、接点Ｐ１およびＰ４が接続されるので、接点Ｐ３は接点Ｐ１と接続されないため、受信信号はモデム１２の送信端子１２１に到達することはない。また、受信信号は、受信切替スイッチ９の接点Ｐ７まで達する。しかし、図示のように、接点Ｐ５及びＰ６が接続される場合、接点Ｐ７は接点Ｐ５とは接続されないため、送信信号は受信用フィルタ１１を通過してモデム１２の受信端子１２２に到達することはない。
【００６０】
図１２は、本実施形態に係る端末１ａにおいて、第２アンテナ７が送信用アンテナとして選択され、第１アンテナ６が受信用アンテナとして選択された場合の内部状態を示す図である。図１２に示すように、送信時には、送信切替スイッチ８においては接点Ｐ１およびＰ３が接続され、受信切替スイッチ１４においては接点Ｐ８およびＰ１１が接続される。一方、受信時には、送信切替スイッチ８においては接点Ｐ１およびＰ４が接続され、受信切替スイッチ１４においては接点Ｐ８およびＰ９が接続される。なお、使用されない受信切替スイッチ９においては、接点Ｐ５およびＰ７が接続される。
【００６１】
送信信号は、モデム１２の送信端子１２１から送信され、送信用フィルタ１０を通過し、送信切替スイッチ８の接点Ｐ１およびＰ３を通って、第２アンテナ７から無線により送信される。なお、送信信号は、受信切替スイッチ９の接点Ｐ７およびＰ５を通って、受信用フィルタ１１に達する。しかし、送信信号の周波数は受信用フィルタ１１により制限されるので、送信信号がモデム１２の受信端子１２２に到達することはない。また、送信信号は、受信切替スイッチ１４の接点Ｐ１０に到達する。しかし、送信時には、接点Ｐ８及びＰ１１が接続されるので、接点Ｐ１０は接点Ｐ８とは接続されないため、送信信号はモデム１２の受信端子１２２に到達することはない。
【００６２】
受信信号は、第１アンテナ６が無線により受信した後、受信切替スイッチ１４の接点Ｐ９およびＰ８を通って、受信用フィルタ１５を通過し、モデム１２の受信端子１２２に到達する。なお、受信信号は、送信切替スイッチ８の接点Ｐ２まで到達する。しかし、受信時には、接点Ｐ１およびＰ４が接続されるので、接点Ｐ２は接点Ｐ１と接続されないため、受信信号はモデム１２の送信端子１２１に到達することはない。また、受信信号は、受信切替スイッチ９の接点Ｐ６まで達する。しかし、接点Ｐ５およびＰ７が接続されるので、接点Ｐ６は接点Ｐ５と接続されないため、受信信号は受信用フィルタ１１を通過してモデム１２の受信端子１２２に到達することはない。
【００６３】
なお、上記においては、端末１ａによるＴＤＤ方式の送受信動作について説明したが、端末１ａの構成は、ＦＤＤ方式の送受信動作も行うことができる。図１３は、端末１ａによるＦＤＤ方式およびＴＤＤ方式のアンテナ切替制御を示す図である。ＦＤＤ方式の送受信動作を行う場合には、受信切替スイッチ１４の接点Ｐ８および接点Ｐ１１を常時接続することにより、受信用フィルタ１５を使用しないこととし、その代わりに、実施形態１と同様に受信用フィルタ１１を使用する。上記によれば、端末１ａの構成により、ＦＤＤ方式およびＴＤＤ方式の通信方式を容易に切り替えることができる。
【００６４】
〈効果〉
上記によれば、送信ＳＡＲ対策時、非通話時に限らず、人体との接近状況、および、受信感度に応じて、送信および受信それぞれに適したアンテナを選択することができる。図２のアンテナ配置Ａ１〜Ａ４それぞれへの切り替えは、通信中であっても制限されることはなく、人体検知の有無（送信ＳＡＲ対策の要否）、受信感度の変化に応じて、どのようなタイミングでも行うことができる。従って、送信および受信において、独立してアンテナを選択することができ、送信波の比吸収率を抑制すると共に、効率のよい受信を実現することができる。
【００６５】
〔実施形態３〕
次に、本発明の実施形態３に係るタブレット端末（携帯通信端末）２０について説明する。本発明の実施形態３は、タブレット端末２０におけるアンテナの配置に関するものである。例えば、利用者がタブレット端末２０を横向きにして（タブレット端末２０の長手方向を左右にして）使用する場合、長手方向の両端にそれぞれアンテナを配置すると、両方のアンテナ付近に手がかかる可能性が高い。
【００６６】
そこで、タブレット端末２０の、長手方向の両端ではないが、互いに対極に位置する両端に２つのアンテナを配置する例について、図１４を参照して説明する。図１４は、タブレット端末２０におけるアンテナ配置の一例を示す図である。
【００６７】
図１４（ａ）は、タブレット端末２０を横向きにして使用する場合の、アンテナ配置の一例を示す。利用者がタブレット端末２０を横向きにして使用する場合には、長手方向の両端（短辺）に手がかかる可能性が高いので、長辺上にアンテナを配置するのが好適である。そこで、例えば、図１４（ａ）に示すように、タブレット端末２０の上辺の左半分に第１アンテナ２６が配置され、下辺の右半分に第２アンテナ２７が配置される。
【００６８】
図１４（ｂ）は、タブレット端末２０を縦向きにして（タブレット端末２０の長手方向を上下にして）使用する場合の、アンテナ配置の一例を示す。図１４（ｂ）に示すように、タブレット端末２０の右辺の上半分に第１アンテナ２６が配置され、左辺の下半分に第２アンテナ２７が配置される。
【００６９】
図１４（ｃ）は、タブレット端末２０を縦向きにして使用する場合の、アンテナ配置の一例を示す。図１４（ｃ）に示すように、タブレット端末２０の右上端に第１アンテナ２６が配置され、左下端に第２アンテナ２７が配置される。
【００７０】
上記によれば、タブレット端末２０の場合、スマートフォン、携帯電話よりもサイズが大きいので、必ずしも長手方向の両端でなくても、互いに対極に位置する、長辺や角の付近に第１アンテナ２６および第２アンテナ２７を配置することにより、２つのアンテナ間の距離は十分に確保可能である。これにより、タブレット端末２０を使用している最中に、第１アンテナ２６および第２アンテナ２７の両方に手がかかる可能性は低く、むしろ少なくとも一方のアンテナが開放される可能性が高いので、２つのアンテナの送受信状態は異なると推定される。したがって、送信用アンテナおよび受信用アンテナを個別に設定することにより、送信波の比吸収率を抑制すると共に、効率のよい受信を実現することができる。
【００７１】
〔まとめ〕
本発明の態様１に係る携帯通信端末（１、タブレット端末２０）は、互いに異なる位置に配置された第１アンテナ（６）および第２アンテナ（７）と、上記第１アンテナに人体が近接したことを検知した場合に、その旨を示す人体検知信号を出力するセンサ（人体検知部４）と、上記第１アンテナおよび上記第２アンテナの受信感度を測定する受信感度測定部（モデム１２）と、上記センサから上記人体検知信号を取得した場合に、送信用アンテナを上記第２アンテナに切り替え、上記受信感度測定部から上記第１アンテナおよび上記第２アンテナの受信感度を取得した場合に、受信用アンテナを当該受信感度が良好な方のアンテナに切り替える制御部（１３）と、を備える。
【００７２】
上記の構成によれば、携帯通信端末において、第１アンテナおよび第２アンテナを異なる位置に配置し、第１アンテナに人体が近接したことを検知して、人体検知信号を出力するセンサを配置し、第１アンテナおよび第２アンテナの受信感度を測定する受信感度測定部を配置する。そして、制御部は、センサから人体検知信号を取得した場合に、送信用アンテナを第２アンテナに切り替える。また、制御部は、受信感度測定部から第１アンテナおよび第２アンテナの受信感度を取得した場合に、受信用アンテナを、受信感度が良好な方のアンテナに切り替える。すなわち、送信用アンテナには、人体に近接していないアンテナを使用し、受信用アンテナには、受信感度が良好な方のアンテナを使用する。従って、携帯通信端末における送信、受信それぞれについて、２つのアンテナから、より適切なアンテナを選択することができるので、送信波の比吸収率を抑制すると共に、効率のよい受信を実現することができる。
【００７３】
本発明の態様２に係る携帯通信端末は、上記態様１において、上記第１アンテナが、上記第２アンテナよりも、当該携帯通信端末を用いた通話時の利用者の頭部に近い位置に配置されることとしてもよい。
【００７４】
上記の構成によれば、第１アンテナは通話時の利用者の頭部により近いため、携帯通信端末を用いた通話時には、頭部に近い第１アンテナではなく、異なる位置に配置される第２アンテナが送信用アンテナとして選択されるので、送信波の比吸収率を抑制することができる。
【００７５】
本発明の態様３に係る携帯通信端末は、上記態様１および２において、上記第１アンテナが、当該携帯通信端末の一端に配置され、上記第２アンテナが、当該携帯通信端末の、上記一端の対極に位置する他端に配置されることとしてもよい。
【００７６】
上記の構成によれば、携帯通信端末において、一端に第１アンテナを配置し、当該一端の対極に位置する他端に第２アンテナを配置する。上記によれば、２つのアンテナが携帯端末の互いに対極に位置する両端に配置されており、携帯端末を利用している最中に、その両端がともに人体に近接することはなく、少なくとも一方の端は人体から離れているので、２つのアンテナの送受信状態は異なる。従って、送信用アンテナおよび受信用アンテナを個別に設定することにより、送信波の比吸収率を抑制すると共に、効率のよい受信を実現することができる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００７８】
本発明は、携帯通信端末におけるアンテナ切替制御に利用することができる。
【符号の説明】
【００７９】
１  携帯通信端末      ４  人体検知部（センサ）      ６  第１アンテナ      ７  第２アンテナ      １２  モデム（受信感度測定部）      １３、１３ａ  制御部      ２０  タブレット端末（携帯通信端末）
【図１】
2016178465.tif 000003
【図２】
2016178465.tif 000004
【図３】
2016178465.tif 000005
【図４】
2016178465.tif 000006
【図５】
2016178465.tif 000007
【図６】
2016178465.tif 000008
【図７】
2016178465.tif 000009
【図８】
2016178465.tif 000010
【図９】
2016178465.tif 000011
【図１０】
2016178465.tif 000012
【図１１】
2016178465.tif 000013
【図１２】
2016178465.tif 000014
【図１３】
2016178465.tif 000015
【図１４】
2016178465.tif 000016